(57)【特許請求の範囲】
【請求項１】
互いに並んで配置される一対の側壁と、
前記一対の側壁の下端を横切る方向に配置されて、少なくともいずれか１つの側壁の移動を案内する案内レールと、
前記側壁の移動によって折畳まれるように互いに回動可能に連結される少なくとも２つの単位プレートに分割されて、前記一対の側壁の上端と下端をそれぞれ連結する上板及び下板と、
前記側壁の前端と後端にそれぞれ回動可能に配置されるドアと、を含み、
前記案内レールは、一側側壁に固定される第１レールと、前記第１レールの端部に回動可能に連結されて、他側側壁の移動を案内する第２レールと、を含む折畳み式コンテナ。
【請求項２】
前記側壁の下端には、前記案内レールに沿って移動する移送台車が設けられる請求項１に記載の折畳み式コンテナ。
【請求項３】
前記移送台車の両端部にはそれぞれローラが設けられ、
前記案内レールには、前記ローラの移動を案内するガイド溝と、前記ガイド溝の上側に配置されてローラの離脱を防止するストッパーと、が形成される請求項２に記載の折畳み式コンテナ。
【請求項４】
前記他側側壁の外側面に設けられ、前記第２レールを選択的に固定する第１固定部を含む請求項１に記載の折畳み式コンテナ。
【請求項５】
前記下板に設けられ、前記下板が広がった状態で前記下板を前記第１レールまたは前記第２レールに選択的に固定する第２固定部を含む請求項１に記載の折畳み式コンテナ。
【請求項６】
前記第２固定部は、前記下板の外側面に配置されて前記第２レールと選択的にかみ合う固定手段と、前記下板の内側面に配置されて前記固定手段を固定方向または固定解除方向に駆動する取っ手と、を含む請求項５に記載の折畳み式コンテナ。
【請求項７】
前記一対の側壁のそれぞれの隅に配置されて床面に支持されるコーナーフィッティング部材を含む請求項１〜３のいずれか１項に記載の折畳み式コンテナ。
【請求項８】
前記コーナーフィッティング部材のうちで案内レールに沿って移動する側壁の下端隅に配置されるコーナーフィッティング部材は、側壁の高さ方向に昇降可能に配置され、側壁に設けられる操作レバーによって昇降しながら床面に選択的に支持される請求項７に記載の折畳み式コンテナ。
【請求項９】
前記コーナーフィッティング部材には、側壁の上側面と下側面に対応する位置にそれぞれ第１結合孔が形成され、側壁の外側面に対応する位置にそれぞれ第２結合孔が形成され、
前記側壁の上端隅と下端隅に配置されたコーナーフィッティング部材の第２結合孔の間の間隔は、一対の側壁に設けられたコーナーフィッティング部材の第１結合孔の間の間隔と同一に設定される請求項７に記載の折畳み式コンテナ。
【請求項１０】
前記下板と前記側壁には、移送装備のフォークが挿入されるフォーク溝がそれぞれ形成される請求項１に記載の折畳み式コンテナ。
【請求項１１】
互いに並んで配置される一対の側壁と、
前記一対の側壁の下端を横切る方向に配置されて、少なくともいずれか１つの側壁の移動を案内する案内レールと、
前記側壁の移動によって折畳まれるように互いに回動可能に連結される少なくとも２つの単位プレートに分割されて、前記一対の側壁の上端と下端をそれぞれ連結する上板及び下板と、
前記側壁の前端と後端にそれぞれ回動可能に配置されるドアと、を含み、
前記下板と前記側壁には、移送装備のフォークが挿入されるフォーク溝がそれぞれ形成される折畳み式コンテナ。
【発明の詳細な説明】
【技術分野】
【０００１】
本発明は、折畳み式コンテナに関する。より詳細には、簡便に折畳み可能でありながら、垂直方向に加えられる積層荷重によって任意に折畳まれることを防止することができる折畳み式コンテナに関するものである。
【背景技術】
【０００２】
一般的に、コンテナとは、鉄板で形成された大きい箱形態であって、主に貨物輸送に使用されるものをいう。このようなコンテナは、貨物を保管して運搬するのが容易なだけでなく、中に入っている貨物を保護することができる利点があり、広く使用されている。
【０００３】
このようなコンテナは、専用で使用される大きい貨物車両によって個々に運送されるか、専用列車または専用船舶によって多量に運送されている。
ところが、このようなコンテナは、鋼鉄素材により作られているので、内部に貨物を載せた状態でも内部が空になった状態でも同じ空間を占めることになる。したがって、空のコンテナを保管したり、輸送する場合にも、内部に貨物を運送するときと同じ容積と費用が発生する問題がある。
【０００４】
このような問題を解決するために、空のコンテナ状態では、コンテナを折畳むことができるようにする試みがあった。すなわち、韓国登録特許第１０-１０６４８０３号を見ると、内部が空の状態のコンテナを折畳むためにベルトと回転軸棒を導入して、ベルトをコンテナの側壁に固定した後、回転軸棒を引いて側壁を折畳むことができる構造を示している。
【０００５】
しかし、前記の従来技術は、コンテナを折畳むために、回転軸棒とベルトという別途の部品を装着しなければならず、ベルトを引くことによって側壁が急に折畳まれる動作が起きることによって安全の問題があり、側壁でなくドアを折畳むことが難しい問題などがあった。
【０００６】
一方、折畳み可能なコンテナを提示する従来技術として、韓国登録特許第１０-０７７５４４６号を挙げることができ、韓国登録特許第１０-０７７５４４６号の図２に示すように、左、右側板３００の下部側板にラチェット（ｒａｔｃｈｅｔ）ギアを備えて、コンテナを簡単かつ便利に畳んだり広げたりすることができるようにする折畳み可能なコンテナを提供する。
【０００７】
しかし、前記従来技術は、左、右側板をなす上部側板と下部側板を折畳む過程において、前面板と背面板をコンテナ内側に回動させて折畳むことになるが、このとき、コンテナ内部で作業者が折畳む作業をする場合、安全上の問題が発生し得るなど、深刻な問題があった。すなわち、前面板をコンテナ内側に折畳むために前面板を折畳む過程で側壁が折畳まれる場合、深刻な事故が発生することになる。
【０００８】
特に、コンテナは、垂直方向に多数積層して保管および運搬するため、側壁が垂直方向に加えられる荷重を十分に支持することができない場合、内容物の破損はもちろん、多数積層されたコンテナが崩壊する恐れがある。しかし、前記のような従来の折畳み式コンテナは、側壁が折畳まれながら上板と下板が密着する構造を有するものであるから、垂直方向に作用する積層荷重に非常に脆弱であるため、コンテナを充分に積層できないという問題がある。また、側壁が折畳まれて上板と下板が密着する方式であるから、両側側壁が垂直荷重によって任意に折畳まれる場合には、大型事故につながる問題がある。
【先行技術文献】
【特許文献】
【０００９】
【特許文献１】韓国登録特許第１０-１０６４８０３号
【特許文献２】韓国登録特許第１０-０７７５４４６号
【発明の概要】
【発明が解決しようとする課題】
【００１０】
したがって、本発明の目的は、このような従来の問題点を解決するためのものであって、簡便に折畳み可能でありながら、垂直方向に加えられる積層荷重によって任意に折畳まれることを防止することができる折畳み式コンテナを提供することにある。
【課題を解決するための手段】
【００１１】
前記目的は、互いに並んで配置される一対の側壁と、前記一対の側壁の下端を横切る方向に配置されて、少なくともいずれか１つの側壁の移動を案内する案内レールと、前記側壁の移動によって折畳まれるように互いに回動可能に連結される少なくとも２つの単位プレートに分割されて、前記一対の側壁の上端と下端をそれぞれ連結する上板と下板および、前記側壁の前端と後端にそれぞれ回動可能に配置されるドアを含む、本発明の折畳み式コンテナによって達成される。
【００１２】
ここで、前記側壁の下端には、前記案内レールに沿って移動する移送台車が設けられることが好ましい。
【００１３】
また、前記移送台車の両端部にはそれぞれローラが設けられ、前記案内レールには、前記ローラの移動を案内するガイド溝と、前記ガイド溝の上側に配置されてローラの離脱を防止するストッパーが形成されることが好ましい。
【００１４】
また、前記案内レールは、一側側壁に固定される第１レールと、前記第１レールの端部に回動可能に連結されて、他側側壁の移動を案内する第２レールを含むことが好ましい。
【００１５】
また、前記他側側壁の外側面に設けられ、第２レールを選択的に固定する第１固定部を含むことが好ましい。
【００１６】
また、前記下板に設けられ、前記下板が広がった状態で前記下板を前記第１レールまたは第２レールに選択的に固定する第２固定部を含むことが好ましい。
【００１７】
また、前記第２固定部は、前記下板の外側面に配置されて第２レールと選択的にかみ合う固定手段と、前記下板の内側面に配置されて前記固定手段を固定方向または固定解除方向に駆動する取っ手を含むことが好ましい。
【００１８】
また、前記一対の側壁のそれぞれの隅に配置されて、床面に支持されるコーナーフィッティング部材を含むことが好ましい。
【００１９】
また、前記コーナーフィッティング部材のうちで案内レールに沿って移動する側壁の下端隅に配置されるコーナーフィッティング部材は、側壁の高さ方向に昇降可能に配置され、側壁に設けられる操作レバーによって昇降しながら床面に選択的に支持されることが好ましい。
【００２０】
また、前記コーナーフィッティング部材は、側壁の上側面と下側面に対応する位置にそれぞれ第１結合孔が形成され、側壁の外側面に対応する位置にそれぞれ第２結合孔が形成され、前記側壁の上端と下端の隅に配置されたコーナーフィッティング部材の第２結合孔の間の間隔は、一対の側壁に設けられたコーナーフィッティング部材の第１結合孔の間の間隔と同一に設定されることが好ましい。
【００２１】
また、前記下板と側壁には、移送装備のフォークが挿入されるフォーク溝がそれぞれ形成されることが好ましい。
【発明の効果】
【００２２】
本発明によれば、簡便に折畳み可能でありながら、垂直方向に加えられる積層荷重によって任意に折畳まれることを防止することができる折畳み式コンテナが提供される。
【図面の簡単な説明】
【００２３】
【図１】本発明の折畳み式コンテナの斜視図である。
【図２】本発明の折畳み式コンテナの分解斜視図である。
【図３】本発明の折畳み式コンテナの案内レールの抜粋斜視図である。
【図４】本発明の折畳み式コンテナの正断面図である。
【図５】本発明の折畳み式コンテナの平断面図である。
【図６】図５のＡ−Ａ’線断面図であり、本発明の折畳み式コンテナに係る案内レールの構成を示す断面図である。
【図７】本発明の折畳み式コンテナの側断面図である。
【図８】本発明の折畳み式コンテナの折畳み過程を示す作用図である。
【図９】本発明の折畳み式コンテナの折畳み過程を示す作用図である。
【図１０】本発明の折畳み式コンテナの折畳み過程を示す作用図である。
【発明を実施するための形態】
【００２４】
説明に先立ち、様々な実施形態において、同一の構成を有する構成要素については、同一の符号を使用して代表的に第１実施形態で説明し、その他の実施形態においては、第１実施形態と異なる構成について説明することにする。
【００２５】
以下、添付した図面を参照して本発明の第１実施形態に係る折畳み式コンテナ１００について詳細に説明する。
【００２６】
添付図面のうち、図１は本発明の折畳み式コンテナの斜視図であり、図２は本発明の折畳み式コンテナの分解斜視図であり、図３は本発明の折畳み式コンテナの案内レールの抜粋斜視図である。
【００２７】
前記図面で示すような、本発明折畳み式コンテナ１００は、一対の側壁１１０と、前記一対の側壁１１０の下部で側壁１１０を横切る方向に配置されて側壁１１０の移動を案内する案内レール１４０と、折畳み可能に構成されて前記一対の側壁１１０の上端と下端を連結する上板１２０と下板１３０および、前記一対の側壁１１０の前端部と後端部にそれぞれ連結されるドア１５０を含んで構成される。
【００２８】
前記側壁１１０は、コンテナの両側面を構成するものであり、垂直方向に配置されて互いに並んで配置される。前記側壁１１０の下端には、先端と後端の両側にそれぞれローラ１１２が設けられて、前記案内レール１４０に沿って移動する移送台車１１１が設けられる。
【００２９】
前記案内レール１４０は、前記一対の側壁１１０の下端を横切る方向に配置されて側壁１１０の移動を案内するものであり、案内レールの両側には、前記ローラ１１２の移動を案内するガイド溝１４１が長さ方向に沿って形成され、前記ガイド溝１４１の上側には、ローラ１１２の離脱を防止するストッパー１４２が形成される。前記案内レール１４０は、２つの側壁のうち、一側側壁１１０に固定される第１レール１４０ａと、前記第１レール１４０ａの端部に回動可能に連結される第２レール１４０ｂに分割構成される。前記案内レール１４０は、側壁１１０の安定した移動のために複数設けられて並んで離隔配置されることができる。
【００３０】
また、前記２つの側壁のうち、他側側壁１１０の外側面には第１固定部１１３が配置され、側壁１１０の外側面に密着するように回動した第２レール１４０ｂは、第１固定部１１３によって選択的に固定される。このような第１固定部１１３は、第２レール１４０ｂを側壁１１０の外側面に固定させるためのものであり、案内レール１４０の端部に形成される輪にかみ合うパッチン錠（ｄｒａｗ  ｌａｔｃｈ）のような環状クランプが適用されることができる。したがって、側壁１１０が任意に移動しないことによって、上板１２０と下板１３０が折畳み状態から任意に広がることを防止することができる。
【００３１】
前記上板１２０と下板１３０は、コンテナの上面と下面を構成するものであり、互いに回動可能に連結される少なくとも２つの単位プレートに分割構成され、上板と下板の両側端部は、前記一対の側壁１１０の上端と下端にそれぞれ回動可能に連結される。このような上板１２０と下板１３０は、前記一対の側壁１１０の移動によって折畳まれたり広げられたりすることによって、コンテナの折畳みを可能にする。
【００３２】
また、前記下板１３０には、第２固定部１３１が設けられる。２つの単位プレートが完全に広がって下板１３０が案内レール１４０に密着した状態で、第２固定部は、前記下板１３０を前記第１レール１４０ａまたは第２レール１４０ｂに選択的に固定させる。このような前記第２固定部１３１は、前記下板１３０の外側面に配置されて第２レール１４０ｂと選択的にかみ合う固定手段と、前記下板１３０の内側面に配置されて前記固定手段を固定する方向または固定解除方向に回動させる取っ手を含んで構成される。
【００３３】
前記第２固定部１３１は、下板１３０が広がった状態で下板が任意に折畳まることを防止するためのものであり、案内レール１４０に設けられる貫通孔に締結されて下板１３０が案内レール１４０から離隔される方向に、すなわち折畳み方向に移動することを制限するように、様々な形態で構成されることができる。具体的に前記固定手段は、第２レール１４０ｂの内部に垂直方向に挿入／離脱可能な長方形のブロック形態からなることができ、前記取っ手は、前記長方形の固定手段を回転させて固定手段の両端部がガイド溝１４１にかみ合うようにすることができる。
【００３４】
前記ドア１５０は、コンテナの前面と後面を構成するものであり、前記一対の側壁１１０の前端と後端にそれぞれ回動可能に配置されて、コンテナの前面と後面の開口領域を締め切ることができ、前記側壁１１０の端部で回動して側壁１１０の内側面または外側面に密着することができる。また、前記ドア１５０には、開放または閉鎖状態でのドア１５０の位置を固定することができるロック手段が設けられることができる。
【００３５】
一方、前記一対の側壁１１０の各隅には、コンテナを床面に支持させるか、コンテナまたは移送用クレーンと固定させるためのコーナーフィッティング部材１６０、１６０’が設けられる。
【００３６】
前記コーナーフィッティング部材１６０、１６０’のうち、案内レール１４０に沿って移動する側壁１１０の下端隅に配置されるコーナーフィッティング部材１６０’は、側壁１１０の高さ方向に昇降可能に配置され、側壁１１０に設けられる操作レバー１６１により昇降して床面に支持されるか、床面から離隔されることができる。
【００３７】
また、前記コーナーフィッティング部材１６０、１６０’は、側壁１１０の上側面と下側面に対応する位置にそれぞれ第１結合孔１６２が形成され、側壁の外側面に対応する位置にそれぞれ第２結合孔１６３が形成され、前記側壁１１０の上端と下端隅にそれぞれ配置されたコーナーフィッティング部材１６０、１６０’の第２結合孔１６３の間の間隔は、一対の側壁１１０に設けられたコーナーフィッティング部材１６０、１６０’の第１結合孔１６２との間の間隔と同一に設定される。
【００３８】
したがって、コンテナを広げた状態では、船舶のような移送手段の床面に設けられる固定用フック（図示せず）をコーナーフィッティング部材１６０、１６０’の第１結合孔１６２に結合してコンテナを固定し、また、コンテナを折畳んだ状態では、安定した保管のために側壁１１０が床面を向くように横にした後、移送手段の床面に設けられる固定用フック（図示せず）をコーナーフィッティング部材１６０、１６０’の第２結合孔１６３に結合してコンテナを固定することができる。
【００３９】
また、前記下板１３０には、コンテナを横切る方向に一対のフォーク溝１３２が形成されて、フォークリフトのような移送装備を用いてコンテナを移送することができる。特に、コンテナを折畳んだ状態では、コンテナの幅が狭くなってコンテナが簡単に倒れることがあるので、コンテナの側壁１１０が床面を向くように横にして、安定した状態が維持されるようにして、側壁１１０に形成されたフォーク溝１１４にフォークリフトのフォークを挿入して持ち上げると、移送過程でコンテナが倒れることを防止することができる。
【００４０】
ここからは、前述した折畳み式コンテナ１００の第１実施形態の作動について説明する。
【００４１】
添付図面のうち、図４は本発明の折畳み式コンテナの正断面図であり、図５は本発明の折畳み式コンテナの平断面図であり、図６は図５のＡ−Ａ’線断面図で、本発明の折畳み式コンテナ１００に係る案内レール１４０の構成を示す断面図であり、図７は本発明の折畳み式コンテナの側断面図である。
【００４２】
本発明に係る折畳み式コンテナ１００は、図４と図５に示すように、一対の側壁１１０が互い並んで離隔配置された状態で、上板１２０と下板１３０が一対の側壁１１０の上端と下端をそれぞれ連結して、概略四角形のコンテナ１００を構成する。ここで、前記上板１２０と下板１３０は、両側端部が一対の側壁１１０とそれぞれ回動可能に連結され、中央は折畳み可能に連結されて、上板と下板は一対の側壁１１０の間の空間に向かって折畳まれることができる。
【００４３】
また、前記コンテナ１００の前面と後面の開口領域は、一対の側壁１１０の前端と後端にそれぞれ回動可能に組み立てられるドア１５０によって開閉されることができ、各ドア１５０は、側壁１１０の内側面と外側面にそれぞれ密着することができるように概略３６０度の回転半径を有するヒンジによって側壁１１０に回動可能に連結される。また、前記ドア１５０がコンテナ１００の前面と後面をそれぞれ締め切った状態でロック設定ができるように、前記ドア１５０にはそれぞれロック手段が設けられることができる。
【００４４】
前記一対の側壁１１０下部には、側壁１１０を横切る方向に案内レール１４０が配置されて、コンテナの折畳みのための側壁１１０の横方向移動を案内する。
【００４５】
具体的には、図６に示すように、案内レール１４０を構成する第１レール１４０ａは、一側側壁１１０の下端に固定され、第２レール１４０ｂは、第１レール１４０ａの端部から長さ方向に延長されて他側側壁１１０の下端を支持する。また、他側側壁１１０の下端には、前記第１レール１４０ａと第２レール１４０ｂに沿って移動することができる移送台車１１１が固定され、他側側壁１１０が一側側壁１１０に向かって移動することにより、上板１２０と下板１３０が折畳まれることができる。特に、前記移送台車１１１の先端と後端両側に形成されたローラ１１２は、第１レール１４０ａと第２レール１４０ｂの両側に形成されたガイド溝１４１に沿って移動する過程で、ガイド溝１４１の上端に形成されたストッパー１４２によってガイド溝１４１から上側方向に離脱することが防止されるので、側壁１１０が移送台車１１１に固定された状態で安定的に案内レール１４０に沿って移動することができる。
【００４６】
一方、前記下板１３０を構成する複数の単位プレートには、それぞれ第２固定部１３１が設けられ、下板１３０が下部の案内レール１４０に選択的に固定されるようにすることができる。
【００４７】
図面には具体的に示していないが、前記第２固定部１３１を使用することによって、前記下板１３０の外側面に配置された固定手段が、前記下板１３０の内側面に配置された取っ手により回動しながら案内レール１４０のストッパー１４２に選択的にかみ合って、下板１３０を案内レール１４０側に固定させることができる。したがって、このような第２固定部１３１により下板１３０が折畳み方向に任意に移動することを防止することができる。
【００４８】
前記のように他側側壁１１０は、案内レール１４０を介して床面に支持されて案内レール１４０に沿って移動可能になる。一方、図７に示すように、他側側壁１１０の下側両端部には、昇降可能なコーナーフィッティング部材１６０’が設けられ、コーナーフィッティング部材１６０’が床面に支持されることによって他側側壁１１０が案内レール１４０上で任意に移動することを防止することができる。
【００４９】
また、前記コーナーフィッティング部材１６０’は、側壁１１０に設けられる操作レバー１６１によって、床面から選択的に離隔されることができる。したがって、使用者が操作レバー１６１を操作することによって、コーナーフィッティング部材１６０’が床面に支持されると、他側側壁１１０が任意に移動することが防止される。また、コーナーフィッティング部材１６０’が床面から離隔されると、他側側壁１１０は、前記案内レール１４０に沿って移動することができる。
前記のように広がった状態に組み立てられている本発明の折畳み式コンテナ１００は、次のような順に折畳んで体積を減らすことができる。
【００５０】
添付図面のうち、図８〜図１０は、本発明の折畳み式コンテナの折畳み過程を示す作用図である。
【００５１】
まず、図８に示すように、各側壁１１０の前端と後端に回動可能に連結されたドア１５０をそれぞれ側壁１１０の内側面に向かって回動させ、コンテナ１００の前面開口と後面開口を開放した後、ドア１５０を側壁１１０の内壁面に位置固定する。
【００５２】
続いて、下板１３０に設けられた第２固定部１３１の固定を解除して下板１３０が案内レール１４０から離隔される方向に折畳まれることができる状態にして、側壁１１０に設けられた操作レバー１６１を用いてコーナーフィッティング部材１６０’を上昇させることにより側壁１１０が案内レール１４０に沿って移動できる状態にする。
【００５３】
前記のように下板１３０と案内レール１４０の固定が解除されて折畳み可能になり、側壁１１０のコーナーフィッティング部材１６０’が床面から離隔された状態では、図９に示すように、他側側壁１１０が案内レール１４０に沿って移動して一側側壁１１０に向かって隣接して配置されることができる。このとき、前記一対の側壁１１０上端と下端をそれぞれ連結している上板１２０と下板１３０は、中央部分が折畳まれて一対の側壁１１０の間の空間に収容されるので、コンテナの体積を大幅に減らすことができる。
【００５４】
また、図１０に示すように、他側側壁１１０の移動を案内する第２レール１４０ｂを回動させて他側側壁１１０の外側面に密着させた状態で、側壁１１０に設けられた第１固定部１１３を用いて第２レール１４０ｂを固定させると、一側側壁１１０は、第１レール１４０ａに固定され、他側側壁１１０は、第１レール１４０ａに連結された第２レール１４０ｂに固定されるものであるため、コンテナ１００が折畳まれた状態でコンテナが任意に広がることを防止することができる。
【００５５】
一方、前記のように折畳まれた状態から広げる過程は折畳み過程の逆順であるため、これについての具体的な説明は省略する。
【００５６】
本発明の権利範囲は、前述した実施形態に限定されるものではなく、添付した特許請求の範囲内で様々な形態の実施形態で具現することができる。特許請求の範囲で請求する本発明の要旨を逸脱することなく、当該発明の属する技術分野における通常の知識を有する者であれば誰でも変形可能な多様な範囲まで本発明の請求範囲の記載の範囲内にあるものとみなす。
【図１】
0006472900.tif 000002
【図２】
0006472900.tif 000003
【図３】
0006472900.tif 000004
【図４】
0006472900.tif 000005
【図５】
0006472900.tif 000006
【図６】
0006472900.tif 000007
【図７】
0006472900.tif 000008
【図８】
0006472900.tif 000009
【図９】
0006472900.tif 000010
【図１０】
0006472900.tif 000011